(57)【要約】【課題】  画像データベースを一元管理し、適切なテクスチャ画像を容易に選択することができ、選択されたテクスチャ画像と背景画像とを合成する画像合成システム等を提供すること。【解決手段】  テキストデータ３５０であるＥｘｐｏｒｔ．ｃｓｖは、背景画像３３０が指定された場合に、その背景画像３３０に適用可能なテクスチャ画像３５０を指定し、画像合成処理を効率良く行うためのデータである。サーバ１０１の制御部２０１は、ファイル「Ｅｘｐｏｒｔ．ｃｓｖ」を解析して、テクスチャ画像３４０のファイルを商品項目ごとに階層化して配置し、更にファイルは品番に関連付けられたファイル名にリネームする。【選択図】  図１０
2006268429.tif 000002
【特許請求の範囲】
【請求項１】
端末装置にネットワークを介して接続され、前記端末装置からのアクセスを受け付け、画像を合成する画像合成処理を支援するサーバであって、
背景画像と、テクスチャ画像と、テキストデータを保持する保持手段と、
前記テキストデータを用いて、前記端末装置から選択された背景画像とそれに関連付けられたテクスチャ画像を選択する選択手段と、
前記背景画像と前記テクスチャ画像を合成する合成手段と、
を具備することを特徴とするサーバ。
【請求項２】
前記選択手段は、前記テキストデータを基に、複数のテクスチャ画像のファイルを商品項目別に分類して配置し、ファイル名を変更することを特徴とする請求項１記載のサーバ。
【請求項３】
前記保持手段は、前記合成手段によって合成された合成画像を更に保持することを特徴とする請求項１記載のサーバ。
【請求項４】
端末装置と、サーバと、がネットワークを介して接続され、前記端末装置から前記サーバに接続して画像を合成する画像合成システムであって、
前記サーバは、
背景画像と、テクスチャ画像と、テキストデータを保持する保持手段と、
前記テキストデータを用いて、前記端末装置から選択された背景画像とそれに関連付けられたテクスチャ画像を選択する選択手段と、
前記背景画像と前記テクスチャ画像を合成する合成手段と、
を具備することを特徴とする画像合成システム。
【請求項５】
前記選択手段は、前記テキストデータを基に、複数のテクスチャ画像のファイルを商品項目別に分類して配置し、ファイル名を変更することを特徴とする請求項４記載の画像合成システム。
【請求項６】
前記保持手段は、前記合成手段によって合成された合成画像を更に保持することを特徴とする請求項４記載の画像合成システム。
【請求項７】
コンピュータを請求項１から請求項３のいずれかに記載のサーバとして機能させるプログラム。
【請求項８】
コンピュータを請求項１から請求項３のいずれかに記載のサーバとして機能させるプログラムを記録した記録媒体。
【発明の詳細な説明】
【技術分野】
【０００１】
本発明は、ネットワークを利用し、データベースにて画像情報を一元管理し、データベースから適宜画像やデータを取り出して、画像を合成する画像合成システムに関する。
【背景技術】
【０００２】
画像合成システムは、コンピュータを利用して、原画像（背景画像）のある領域にテクスチャ画像を合成して、合成画像を作成するものである。コンピュータは、画像合成プログラムのほか、原画像(背景画像)やテクスチャ画像を保持し、合成処理を行い、更に合成画像も保持する（例えば、特許文献１）。
【０００３】
【特許文献１】特開２０００−２９３６６７号公報
【発明の開示】
【発明が解決しようとする課題】
【０００４】
しかしながら、背景画像やそれに合成するテクスチャ画像は、膨大な量のデータであるため、それを保持する記憶媒体の容量も膨大となるという問題があった。
また、画像データは膨大な数であるため、その画像データから適切なテクスチャ画像を選択することは煩雑な作業であった。
また、複数のコンピュータが画像合成装置として機能している場合、それらのコンピュータが重複した画像データを保持している場合が多く、余計な記憶媒体の容量を費やしているといった問題もあった。
【０００５】
本発明は、以上の点に鑑みてなされたものであり、画像データベースを一元管理し、背景画像に合成する適切なテクスチャ画像を容易に選択し、選択されたテクスチャ画像と背景画像とを合成する画像合成システム等を提供することを目的とする。
【課題を解決するための手段】
【０００６】
前述した目的を達成するために第１の発明は、端末装置にネットワークを介して接続され、前記端末装置からのアクセスを受け付け、画像を合成する画像合成処理を支援するサーバであって、背景画像と、テクスチャ画像と、テキストデータを保持する保持手段と、前記テキストデータを用いて、前記端末装置から選択された背景画像とそれに関連付けられたテクスチャ画像を選択する選択手段と、前記背景画像と前記テクスチャ画像を合成する合成手段と、を具備することを特徴とするサーバである。
【０００７】
ここで、選択手段は、テキストデータを基に、複数のテクスチャ画像のファイルを商品項目別に分類して配置し、ファイル名を変更する。これにより、膨大な量のテクスチャ画像から適切なテクスチャ画像を選択することができる。
また、保持手段は、前記合成手段によって合成された合成画像を更に保持する。
【０００８】
第２の発明は、端末装置と、サーバと、がネットワークを介して接続され、前記端末装置から前記サーバに接続して画像を合成する画像合成システムであって、前記サーバは、背景画像と、テクスチャ画像と、テキストデータを保持する保持手段と、前記テキストデータを用いて、前記端末装置から選択された背景画像とそれに関連付けられたテクスチャ画像を選択する選択手段と、前記背景画像と前記テクスチャ画像を合成する合成手段と、を具備することを特徴とする画像合成システムである。
【０００９】
第３の発明は、コンピュータを第１の発明のサーバとして機能させるプログラムである。
第４の発明は、コンピュータを第１の発明のサーバとして機能させるプログラムを記録した記録媒体である。
【００１０】
上述のプログラムをＣＤ−ＲＯＭ等の記録媒体に保持させて流通させてもよいし、このプログラムを通信回線を介して送受することもできる。
【発明の効果】
【００１１】
本発明は、膨大な画像データをデータベース上で効率よく一元管理し、そのデータベースから背景画像に合成する適切なテクスチャ画像を容易に選択することが可能で、テクスチャ画像と背景画像とを合成する画像合成システム等を提供することが可能である。
【発明を実施するための最良の形態】
【００１２】
以下に、添付図面を参照しながら、本発明に係る画像合成システム等の好適な実施形態について詳細に説明する。なお、以下の説明および添付図面において、略同一の機能構成を有する構成要素については、同一の符号を付することにより重複説明を省略することにする。
【００１３】
図１は、本発明の本実施の形態に係る画像合成システム１００の概略構成を示す図である。
【００１４】
図１は、画像合成システム１００の１例であり、図１に示すように、画像合成システム１００は、サーバ１０１、複数の端末装置１０３等が、ネットワーク１０９を介して接続されて構成される。
ネットワーク１０９は、インターネット、ローカルエリアネットワーク（ＬＡＮ）、社内ＬＡＮ等のネットワークであり、有線、無線を問わない。
【００１５】
サーバ１０１は、サーバコンピュータ等であり、データベース操作手段１１１、データベース管理手段１１２、画像合成手段１１３、データベース３０１等を有する。データベース３０１は、画像データ等を保持する。
【００１６】
データベース操作手段１１１は、画像合成手段１１３や端末装置１０３から指示を受け付けて、データベース３０１内のデータの操作等を行う。データベース管理手段１１２は、データベース３０１内のデータの登録、削除等の管理を行う。画像合成手段１１３は、端末装置１０３のユーザからの指示によって、データベース３０１に保持された画像を合成するなどの処理を行う。
【００１７】
端末装置１０３は、パーソナルコンピュータ、携帯型端末機（Ｐｅｒｓｏｎａｌ  Ｄｉｇｉｔａｌ  Ａｓｓｉｓｔａｎｔ）等である。端末装置１０３は、ネットワーク１０９を介して、データベース３０１の操作要求、画像合成などといった指示等を送信する。
【００１８】
次に、サーバ１０１のハードウェア構成を説明する。図２は、サーバ１０１のハードウェア構成図である。
【００１９】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２０】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２１】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する処理（図５参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２２】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う後述の処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００２３】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２４】
通信制御部２０４は、通信制御装置、通信ポート等を有し、サーバ１０１とネットワーク１０９間の通信を媒介する通信インタフェースであり、ネットワーク１０９を介して、サーバ１０１と、端末装置１０３間の通信制御を行う。
【００２５】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００２６】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００２７】
印刷部２０７は、プリンタであり、印刷出力処理を行う。
システムバス２０９は、各装置間の制御信号、データ信号等の授受を媒介する経路である。
【００２８】
次に、図３を参照しながら、サーバ１０１の記憶部２０２が保持する情報について説明する。図３は、記憶部２０２が保持する情報を示す図である。
記憶部２０２内には、データベース３０１、制御プログラム３９１、アプリケーションプログラム３９２等が格納されている。
【００２９】
データベース３０１は、複数の背景画像３３０、テクスチャ画像３４０、テキストデータ３５０、合成画像３６０等が保持される。背景画像３３０は原画像となる画像であり、背景画像３３０の一部または全領域にテクスチャ画像３４０が合成され、作成された画像が合成画像３６０である。
【００３０】
テキストデータ３５０は、後に詳しく説明するが、背景画像３３０が指定された場合に、データベース３０１に保持される膨大な画像データの中から、その背景画像３３０に適用可能な複数のテクスチャ画像３５０を指定し、画像合成処理を効率良く行うためのデータである。
【００３１】
制御プログラム３９１は、サーバ１０１の各構成部分を駆動制御するプログラムであり、ＯＳ（オペレーティングシステム）に相当する。
アプリケーションプログラム３９２は、サーバ１０１が行う後述の処理（図５参照）に相当する実行可能プログラムであり、データベース操作手段１１１、データベース管理手段１１２、画像合成手段１１３等に該当するプログラムである。
【００３２】
次に、図４を参照しながら、端末装置１０３のハードウェア構成を説明する。図４は、端末装置１０３のハードウェア構成図である。
端末装置１０３は、制御部４０１、記憶部４０２、メディア入出力部４０３、通信制御部４０４、入力部４０５、表示部４０６、印刷部４０７等が、システムバス４０９を介して接続される。
尚、端末装置１０３のハードウェア構成は、図２について前述したサーバ１０１と同様の構成を採る。
【００３３】
次に、図５を参照しながら、サーバ１０１による画像合成動作について説明する。図５は画像合成システム１００による画像合成処理の手順を示すフローチャートである。
【００３４】
ここで、サーバ１０１の記憶部２０２には、アプリケーションプログラム３９２がインストールされている。以下のサーバ１０１の処理は、このドキュメントアプリケーションプログラム３９２の制御に従って、サーバ１０１の制御部２０１によって行われる。
また、サーバ１０１への指示等は、端末装置１０３の制御部４０１によって行われる。
【００３５】
端末装置１０３の制御部４０１は、データベース３０１から背景画像３３０を選択し、画像合成手段を呼び出す（ステップ６０１）。サーバ１０１の制御部２０１は、指定された背景画像３３０と、それに関連付けられているテクスチャ画像３４０、テキストデータ３５０をデータベース３０１から取り出す（ステップ６０２）。
【００３６】
サーバ１０１の制御部２０１は、フォルダを作成し、取り出した背景画像３３０、テクスチャ画像３４０、テキストデータ３５０のファイルを出力し（ステップ６０３）、テキストデータ３５０を解析し、ファイルのリネーム、移動を行う（ステップ６０４）。
【００３７】
ユーザは、端末装置１０３から使用するテクスチャ画像を選択するなどの指示を出し（ステップ６０５）、サーバ１０１の制御部２０１は、指定された画像を合成する（ステップ６０６）。
【００３８】
端末装置１０３の制御部４０１は、合成した画像を画面に表示し、ユーザの確認が得られると、サーバ１０１に対して保存を指示し（ステップ６０７）、サーバ１０１の制御部２０１は、合成画像をデータベース３０１に保存する（ステップ６０８）。ここで、合成処理を更に続ける場合は（ステップ６０９）、ステップ６０１に戻り、操作を繰り返す。
【００３９】
以下、各ステップについて詳細に説明する。
（ステップ６０１、ステップ６０２）
ユーザは、端末装置１０３からサーバ１０１にアクセスし、データベース３０１から画像を合成するための原画像となる背景画像３３０を検索し、選択する。
本システムでは、背景画像３３０に対して、合成可能な複数のテクスチャ画像３４０が関連付けられている。この関連付けは、後述するテキストデータ３５０によって行われる。端末装置１０３から背景画像３３０が指定され、サーバ１０１に対して画像合成手段１１３が呼び出された場合、サーバ１０１のデータベース操作手段１１１は、データベース３０１から背景画像３３０とその背景画像３３０に関連付けられている複数のテクスチャ画像３４０と１つのテキストデータ３５０を読み出す。
【００４０】
（ステップ６０３、ステップ６０４）
次に、サーバ１０１の制御部２０１は、フォルダを作成し、取り出した背景画像３３０、テクスチャ画像３４０、テキストデータ３５０のファイルを出力する。図６は新しく作成されたフォルダとデータベース３０１から取り出されたファイルを示す図である。制御部２０１は、記憶部２０２に、例えば、「Export」という名のフォルダを作成し、ユーザが端末装置１０３から指定した背景画像３３０ファイルの「外観＿１階．ｍｋｄ」、そのファイルに関連付けられるテキストデータ３５０のファイル「Ｅｘｐｏｒｔ．ｃｓｖ」、及びテクスチャ画像３４０ファイルである「ｔｅｘｔｕｒｅ２．ｂｍｐ」、「ｔｅｘｔｕｒｅ６．ｂｍｐ」、「ｔｅｘｔｕｒｅ７．ｂｍｐ」、…のファイルを読み出す。
【００４１】
次に、制御部２０１は、テキストデータ３５０を解析して、フォルダ内のファイルのリネームや移動を行う。図７は、テキストデータ３５０のフォーマットの一例を示す図である。図７に示すように、例えば、テキストデータ３５０は、ｃｓｖ形式（Comma Separated Values形式）で記載されたデータであり、汎用的なデータベース３０１のデータを画像合成手段１１３で使用できるようにするためのデータである。データの内容としては、管理コード、背景画像の商品である品名、価格、価格単位、…、テクスチャ画像となる商品の品番、実寸(幅、高さ)、テクスチャ画像のファイル名、タイトル１、関連品番１、関連名称１、関連品番２、関連名称２、関連品番３．関連名称３、…となる。
【００４２】
図８、図９は背景画像「外観＿１階．ｍｋｄ」に関連付けられた「Ｅｘｐｏｒｔ．ｃｓｖ」のファイルの内容の一例を示す図である。「外観＿１階．ｍｋｄ」は背景画像３３０であり、メイン画像である。「Ｅｘｐｏｒｔ．ｃｓｖ」には背景画像３３０である「外観＿１階．ｍｋｄ」に適用可能な複数のテクスチャ画像３４０が指定される。そしてそのテクスチャ画像３４０は、実際の商品情報とも対応している。例えば、テクスチャ画像３４０のファイル「ｔｅｘｔｕｒｅ２．ｂｍｐ」は実際の商品の品番は「Ｔｅｘ００１」という商品に対応しており、その商品の実寸データがテキストデータ３５０には対応付けられている。同様に、テキストデータ３５０には、「ｔｅｘｔｕｒｅ６．ｂｍｐ」は実際の商品の品番は「Ｔｅｘ００２」という商品に対応することが、「ｔｅｘｔｕｒｅ７．ｂｍｐ」は実際の商品の品番は「Ｔｅｘ００３」という商品に対応することが定義されている。
【００４３】
また、図９では、それぞれのテクスチャ画像、即ち商品が、どの商品項目に属しているかが示されており、例えば、品番「０００００００３８」は図９に示すコードより商品品番「Ｔｅｘ００１」であり、これは商品項目「外装材」であることが示される。同様に、「Ｔｅｘ００２」は「屋根」であり、「Ｔｅｘ００３」は「外装材」であることが示される。
【００４４】
制御部２０１は、テキストデータ３５０のファイル「Ｅｘｐｏｒｔ．ｃｓｖ」を解析して、図６に示すフォルダ内のファイルを、図１０に示すように、商品項目ごとに階層化され、配置され、更にファイルは品番に関連付けられたファイル名にリネームされる。例えば、図８に示すテキストデータ３５０に従って「ｔｅｘｔｕｒｅ２．ｂｍｐ」は「Ｔｅｘ００１．ｂｍｐ」にファイル名が変更され、実寸データが定義される。また、図９に示すテキストデータ３５０にしたがって、「外装材」の項目フォルダには「Ｔｅｘ００１．ｂｍｐ」と「Ｔｅｘ００３．ｂｍｐ」が保持され、「屋根」という項目フォルダには「Ｔｅｘ００２．ｂｍｐ」が保持される。これにより、データベース３０１に保持される実際の商品の画像データを、画像合成手段１１３がそのまま使用可能となる。
【００４５】
（ステップ６０４〜ステップ６０６）
次に、制御部２０１は端末装置１０３からの指示を受付けて、画像合成処理を行う。図１１は画像合成手段１１３を起動したときの画面１０を示す図である。画面１０は、画像表示領域３１、メニュー表示領域３３、テクスチャ画像表示領域３５等からなる。画像表示領域３１には、初期状態では、指定された背景画像３３０(原画像)が表示されており、画像の合成が行われると、その都度合成画像が表示される。メニュー表示領域３３には、原画像となる背景画像ファイル名を示す「背景画像ファイル」表示部４１、テクスチャ画像のファイルやフォルダ一覧を示す場合に押下する「テクスチャ画像一覧」ボタン４３、選択されたテクスチャ画像３４０のファイル名を表示する「ファイル名」表示部４５、その実寸データを表示する表示部４７、４８等がある。
【００４６】
端末装置１０３から「テクスチャ画像一覧」ボタン４３が押下されると、テクスチャ画像の商品品目「外装材」や「屋根」ごとにまとめられたテクスチャ画像ファイルの一覧（例えば、図１１に示すＥｘｐｏｒｔフォルダの中身）が表示され、ユーザ３は端末装置１０３から商品品目（階層構造となったフォルダの「屋根」や「外装材」など）を指定する。サーバ１０１の制御部２０１は、指定された商品品目のテクスチャ画像３４０の一覧をテクスチャ画像表示部３５に表示する。
【００４７】
図１３は画像合成システムの画面２０を示す図である。例えば、ユーザが商品品目として、「外装材」を指定すると、制御部２０１は、図１１に示す「外装材」フォルダにあるテクスチャ画像３４０のデータを読み出し、テクスチャ画像表示部３５に表示する。そして、例えば、ユーザによって「Ｔｅｘ００１」という外装材のテクスチャ画像３４０が指定されると、図９から読み出された「Ｔｅｘ００１」の実寸データが表示部４７、４８に表示されるとともに、背景画像３３０に寸法を合わせたテクスチャ画像３４０を合成した合成画像３６０が画像表示領域３１に表示される。
【００４８】
（ステップ６０７、ステップ６０８）
端末装置１０３に表示された合成画像３６０を確認し、その画像でよい場合は、ユーザは端末装置１０３から合成画像３６０の保存を支持し、サーバ１０１の制御部２０１はその合成画像３６０とそれに関する情報を記憶部２０２に保存する。
【００４９】
例えば、図１２の画像表示領域３１に示された合成画像を保存する場合、ユーザはメニュー表示領域３３に表示された「保存」ボタン（図示せず）を押下するなどして、サーバ１０１に対して保存を指示する。
【００５０】
サーバ１０１の制御部２０１は、記憶部２０２に新たにフォルダを作成し、合成画像３６０とそれに関するテキストデータ３５０を作成する。図１３は、作成された「Ｉｍｐｏｒｔ」フォルダを示す図である。例えば、制御部２０１は、「Ｉｍｐｏｒｔ」フォルダの中に、更に作成した合成画像を識別できる新しいフォルダを作成し、その下に、テキストデータ３５０である「Ｉｍｐｏｒｔ．ｃｓｖ」、合成画像３６０である「外観_１階_go１．ｂｍｐ」、「外観_１階_go２．ｂｍｐ」を作成して保持する。
【００５１】
図１４は、テキストデータ３５０の「Ｉｍｐｏｒｔ．ｃｓｖ」のデータフォーマットの一例を示す図である。「Ｉｍｐｏｒｔ．ｃｓｖ」は、管理コード、元管理コード、ファイル名１、タイトル１、関連品番１、関連名称２、関連品番２、関連名称２、関連品番３、関連名称３等が示される。
【００５２】
図１５、図１６は、「Ｉｍｐｏｒｔ．ｃｓｖ」の具体的なデータ例を示す図である。この場合では、「外観_１階_go１．ｂｍｐ」、「外観_１階_go２．ｂｍｐ」の２種類の合成画像３６０を作成して、保存した場合のテキストデータ３５０を示す。管理コードは、合成画像３６０を管理するための管理番号であり、元管理コードとは、合成画像３６０の元となる背景画像３３０のコードであり、例えば、図８に示す「外観_１階．ｍｋｄ」ファイルのコード番号である。関連品番１、関連名称２、関連品番２、関連名称２、関連品番３、関連名称３には合成画像３６０に使用された背景画像３３０、テクスチャ画像３４０の品番と名称が示される。
【００５３】
以上、説明したように、画像合成システム１００では、テキストデータ３５０によってデータベース３０１の膨大な画像データからテクスチャ画像３４０を適切に選択し、画像の合成処理を容易に行うことが可能である。
【００５４】
なお、本実施の形態では、サーバ１０１に画像合成手段１１３を有し、クライアント端末１０３からサーバ１０１上の画像合成プログラムを起動したが、予め、端末装置１０３側に画像合成プログラムをダウンロードしておき、端末装置側で起動することも可能である。
【００５５】
また、図５等に示す処理を行うプログラムはＣＤ−ＲＯＭ等の記録媒体に保持させて流通させてもよいし、このプログラムを通信回線を介して送受することもできる。
【００５６】
以上、添付図面を参照しながら、本発明に係るドキュメント作成支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５７】
【図１】本実施の形態に係る画像合成システム１００の概略構成を示す図
【図２】サーバ１０１のハードウェア構成図
【図３】記憶部２０２が保持する情報を示す図
【図４】端末装置１０３のハードウェア構成図
【図５】画像合成処理の手順を示すフローチャート
【図６】作成されたフォルダとファイルを示す図
【図７】テキストデータ（Ｅｘｐｏｒｔ．ｃｓｖ）のデータ内容を示す図
【図８】テキストデータ（Ｅｘｐｏｒｔ．ｃｓｖ）のデータ内容の一例を示す図
【図９】テキストデータ（Ｅｘｐｏｒｔ．ｃｓｖ）のデータ内容の一例を示す図
【図１０】再構築されたＥｘｐｏｒｔフォルダを示す図
【図１１】画像合成処理の画面１０を示す図
【図１２】画像合成処理の画面２０を示す図
【図１３】Ｉｍｐｏｒｔフォルダを示す図
【図１４】テキストデータ（Ｉｍｐｏｒｔ．ｃｓｖ）のデータ内容を示す図
【図１５】テキストデータ（Ｉｍｐｏｒｔ．ｃｓｖ）のデータ内容の一例を示す図
【図１６】テキストデータ（Ｉｍｐｏｒｔ．ｃｓｖ）のデータ内容の一例を示す図
【符号の説明】
【００５８】
１００………画像合成システム
１０１………サーバ
１０３………端末装置
１０９………ネットワーク
１１１………データベース操作手段
１１２………データベース管理手段
１１３………画像合成手段
２０１、４０１………制御部
２０２、４０２………記憶部
３０１………データベース
３０２………テンプレートデータベース
３３０………背景画像
３４０………テクスチャ画像
３５０………テキストデータ
３６０………合成画像
【図１】
2006268429.tif 000003
【図２】
2006268429.tif 000004
【図３】
2006268429.tif 000005
【図４】
2006268429.tif 000006
【図５】
2006268429.tif 000007
【図６】
2006268429.tif 000008
【図７】
2006268429.tif 000009
【図８】
2006268429.tif 000010
【図９】
2006268429.tif 000011
【図１０】
2006268429.tif 000012
【図１１】
2006268429.tif 000013
【図１２】
2006268429.tif 000014
【図１３】
2006268429.tif 000015
【図１４】
2006268429.tif 000016
【図１５】
2006268429.tif 000017
【図１６】
2006268429.tif 000018